(57)【要約】【課題】高齢者等が容易に使用できる把手、この把手を有する紙コップおよび同様の把手を有する紙コップホルダを提供する。【解決手段】把手付き紙コップ１は、所定の面積を有する支持部３と、この支持部に連続しつつ折曲可能に設けられた把手基部４ａ，４ｂと、この把手基部に連続して突設された把手部５ａ，５ｂとで構成されている。上記の把手基部および上記把手部が略逆Ｌ字形を形成している。把手部は、その先端５１ａ，５１ｂが紙コップの底部裏面２１と同一平面上に到達するように構成されている。紙コップに使用する把手として構成する場合は、支持部の裏面に貼着剤が塗布されている。一方、飲用容器ホルダ１０は、筒状の本体１１と、本体上端縁を部分的に切欠いた飲み口部１７，１８と、本体の外側表面１２に突設してなる把手１４ａ，１４ｂとで構成されている。上記の把手が略逆Ｌ字形に構成され、把手の一部が上記本体部の下端縁１６と同一平面上に到達するように構成されている。【選択図】　図１
2004091012.tif 000002
【特許請求の範囲】
【請求項１】
紙コップの外側壁面から突出する把手を有する紙コップであって、上記把手が略逆Ｌ字形に構成されてなることを特徴とする把手付き紙コップ。
【請求項２】
所定の面積を有する支持部と、この支持部に連続しつつ折曲可能に設けられた把手基部と、この把手基部に連続して突設された把手部とからなり、上記把手基部および上記把手部で略逆Ｌ字形を形成してなることを特徴とする把手付き紙コップ。
【請求項３】
前記把手または前記把手部は、その一部が前記紙コップの底部裏面と同一平面上に到達するように構成された把手または把手部である請求項１または２記載の把手付き紙コップ。
【請求項４】
所定の面積を有する支持部と、この支持部に連続しつつ折曲可能に設けられた把手基部と、この把手基部に連続して突設された把手部とからなり、上記支持部を貼着可能に設けたことを特徴とする把手付き紙コップの把手。
【請求項５】
所定の面積を有する支持部と、この支持部の片面に塗布された貼着剤と、この貼着剤を被覆する剥離フィルムと、上記支持部に連続しつつ折曲可能に設けられた把手基部と、この把手基部に連続して突設された把手部とからなり、剥離フィルムを剥離して支持部を紙コップの外側表面に貼着可能に構成してなることを特徴とする把手付き紙コップの把手。
【請求項６】
前記把手基部および前記把手部は、略逆Ｌ字形を形成してなる把手基部および把手部であり、上記把手部の一部が前記紙コップの底部裏面と同一平面上に到達するように構成された請求項４または５記載の把手付き紙コップの把手。
【請求項７】
筒状の本体と、この本体の外側表面に突設してなる把手とからなる飲料容器ホルダであって、上記把手が略逆Ｌ字形に構成されてなることを特徴とする飲料容器ホルダ。
【請求項８】
前記把手は、前記本体の底部裏面と同一平面上に到達するように構成された把手である請求項７記載の飲料容器ホルダ。
【請求項９】
筒状の本体と、この本体の上端縁を部分的に切欠いてなる飲み口部と、上記本体の上端縁付近の上記飲み口部が設けられていない外側表面に突設してなる把手とからなる飲料容器ホルダであって、上記把手が略逆Ｌ字形に構成されてなるとともに、該把手の一部が上記本体部の下端縁と同一平面上に到達するように構成されてなることを特徴とする紙コップホルダ。
【請求項１０】
前記本体は、飲料容器の底部から所定高さまでを十分に保持する筒状の本体である請求項７ないし９のいずれかに記載の飲料容器ホルダ。
【請求項１１】
前記本体は、断面円形または多角形の筒状に成形された本体である請求項７ないし１０のいずれかに記載の飲料容器ホルダ。
【請求項１２】
前記本体は、底部内周に円管状のストッパ部を有する本体である請求項７ないし１１のいずれかに記載の飲料容器ホルダ。
【発明の詳細な説明】
【０００１】
【発明の属する技術分野】
本発明は、把手付き紙コップおよびその把手並びに飲料容器ホルダに関するものである。
【０００２】
【従来の技術】
一般的に使用されている紙コップは、薄肉の紙材により円筒状の壁面が構成されるとともに、底部に同種の紙材が設けられているものであって、専ら使い捨てに適する簡易な構造であった。しかし、この種の紙コップは、壁面に断熱構造を備えておらず、熱い飲み物を注入する場合、紙コップの壁面が飲み物によって加熱されることとなっていた。従って、このような紙コップを使用する者は、比較的低温の上端付近を持っており、そのため、紙コップの上端付近の狭い部分を指先で摘むようにして持たなければならなかった。そこで、把手を有する紙コップが開発されたのであるが、この従来技術は、図１２（ａ）に示すように、紙コップ２０１の外側壁面２２２の範囲内で平面的に構成された紙製の把手部２０５ａ，２０５ｂが、表面形状略円環状に成形されており、図１２（ｂ）に示すように、把手部２０５ａ，２０５ｂを折り曲げつつ横向きに起こすことによって、把手２０６を構成するものであった。
【０００３】
また、紙コップを保持するホルダも開発されているが、この従来技術は、特開平７−２１３４０８号公報に開示される紙コップホルダであって、この技術は、帯板状の本体部を円環状に変形して保持部を設け、この円環状保持部によって紙コップを面接触による支承を可能にするとともに、当該保持部を構成した帯板状本体部の両端を残余させ、この残余部分を円環状保持部から突出させることによって把持部を構成するものであった。
【０００４】
【発明が解決しようとする課題】
しかしながら、上記のような従来の把手付き紙コップにあっては、把手部２０５ａ，２０５ｂが円環状に構成されていることから把手としての外観を呈するものであるものの、この円環内部に指を刺し通して把手部２０５ａ，２０５ｂを把持することはできなかった。これは、当該把手部２０５ａ，２０５ｂの円環内部が、非常に小径であるため指を挿通できることができず、また、仮に、１または２本の指を挿通できたとしても、薄肉であるため把持する場合、容易に変形することによるものであった。その結果、上記把手部２０５ａ，２０５ｂの上端付近を親指と人差し指とで摘むように使用することとなっていた。
【０００５】
一方、紙コップホルダにかかる従来技術にあっては、ホルダ本体である円環状保持部を構成する帯板状本体部の両端によって把手部が構成されており、この両端は、帯板状の一部であるため、通常の把手の形状を有するものではなく、やはり、把手部を親指と人差し指とで摘むように使用することとなっていた。
【０００６】
上記のような構成の紙コップおよび紙コップホルダに設けられる把手部は、いずれも一般人、特に健常者を対象としたものであって、指先に十分な挟持力を発揮できる者のみが使用できるものであった。即ち、高齢者や幼児では、指で把手部を挟みながら紙コップを持ち上げ、かつ紙コップに注がれた飲み物を飲用することは困難であった。しかも、何らかの原因により手や指に障害を有することとなった障害者にとっては、不自由な指先で把手を摘むことは至難の業であった。また、上記高齢者等にあっては、紙コップそのものが不安定な容器であって、注意深く使用したとしても、転倒させる可能性があるため、その使用を敬遠する者も少なくなかった。
【０００７】
本発明は、上記諸点にかんがみてなされたものであって、その目的とするところは、高齢者等が容易に使用できる把手、この把手を有する紙コップおよび同様の把手を有する紙コップホルダを提供することである。
【０００８】
【課題を解決するための手段】
そこで、把手付き紙コップにかかる本発明は、紙コップの外側壁面から突出する把手を有する紙コップであって、上記把手が略逆Ｌ字形に構成されてなることを特徴とする把手付き紙コップを要旨としている。
【０００９】
また、把手付き紙コップにかかる本発明は、所定の面積を有する支持部と、この支持部に連続しつつ折曲可能に設けられた把手基部と、この把手基部に連続して突設された把手部とからなり、上記把手基部および上記把手部で略逆Ｌ字形を形成してなることを特徴とする把手付き紙コップをも要旨とするものである。
【００１０】
上記の場合、把手または把手部は、その一部が前記紙コップの底部裏面と同一平面上に到達するように構成された把手または把手部であることが好ましい。
【００１１】
把手にかかる本発明にあっては、所定の面積を有する支持部と、この支持部に連続しつつ折曲可能に設けられた把手基部と、この把手基部に連続して突設された把手部とからなり、上記支持部を貼着可能に設けたことを特徴とする把手付き紙コップの把手を要旨とする。
【００１２】
また、把手にかかる本発明は、所定の面積を有する支持部と、この支持部の片面に塗布された貼着剤と、この貼着剤を被覆する剥離フィルムと、上記支持部に連続しつつ折曲可能に設けられた把手基部と、この把手基部に連続して突設された把手部とからなり、剥離フィルムを剥離して支持部を紙コップの外側表面に貼着可能に構成してなることを特徴とする把手付き紙コップの把手をも要旨としている。
【００１３】
上記の把手にあっては、把手基部および把手部は、略逆Ｌ字形を形成してなる把手基部および把手部であり、上記把手部の一部が前記紙コップの底部裏面と同一平面上に到達するように構成されることが好ましい。
【００１４】
飲用容器ホルダにかかる本発明は、筒状の本体と、この本体の外側表面に突設してなる把手とからなる飲料容器ホルダであって、上記把手が略逆Ｌ字形に構成されてなることを特徴とする飲料容器ホルダを要旨とするものである。
【００１５】
この場合、把手は、前記本体の底部裏面と同一平面上に到達するように構成された把手であることが好ましい。
【００１６】
また、飲用容器ホルダにかかる発明としては、筒状の本体と、この本体の上端縁を部分的に切欠いてなる飲み口部と、上記本体の上端縁付近の上記飲み口部が設けられていない外側表面に突設してなる把手とからなる飲料容器ホルダであって、上記把手が略逆Ｌ字形に構成されてなるとともに、該把手の一部が上記本体部の下端縁と同一平面上に到達するように構成されてなることを特徴とする紙コップホルダをも要旨とするものである。
【００１７】
この場合、上記の本体を、飲料容器の底部から所定高さまでを十分に保持する筒状の本体とすることが好ましく、また、断面円形または多角形の筒状に成形された本体とすることができる。さらに、本体の底部内周に円管状のストッパ部を設けた構成とすることができる。
【００１８】
【発明の実施の形態】
以下、本発明の実施の形態を図面に基づいて説明する。まず、把手付きの紙コップにかかる発明の実施形態について説明すれば、図１に示すように、本実施形態の紙コップ１は、紙コップ本体２の外側壁面の上端付近に支持部３が貼着されており、この支持部３には把手基部４ａ，４ｂおよび把手部５ａ，５ｂが連続して構成されている。支持部３は、上下に長尺な長方形状の平面で構成され、その裏面全体が紙コップ本体２の外側壁面に貼着されているのである。このような支持部３の上部両側から水平方向に把手基部４ａ，４ｂが突出して設けられており、この支持部３と把手基部４ａ，４ｂとの境界線において、把手基部４ａ，４ｂを折り曲げることによって、当該把手基部４ａ，４ｂを紙コップ本体２の表面から横向きに突出させることができるのである。また、既述のとおり、把手基部４ａ，４ｂには把手部５ａ，５ｂが連続して設けられており、上記把手基部４ａ，４ｂの突出に伴って、把手部５ａ，５ｂが紙コップ本体２から所定間隔を有する状態で配置されるものである。
【００１９】
ここで、把手６は、把手基部４ａ，４ｂと把手部５ａ，５ｂとで構成されているのであって、この把手６は、上記把手基部４ａ，４ｂおよび把手部５ａ，５ｂが略逆Ｌ字形を形成しているのである。つまり、把手基部４ａ，４ｂが、紙コップ本体２から水平方向へ突出しているのに対し、把手部５ａ，５ｂは、この把手基部４ａ，４ｂの突出端から鉛直下向きに配置されているのである。しかも、この把手部５ａ，５ｂは、その一部である先端５１ａ，５１ｂが紙コップ本体２の底部端縁２１と同じ高さに到達できるように構成されており、把手基部４ａ，４ｂの突出端から当該先端５１ａ，５１ｂまでを長尺に構成しているのである。
【００２０】
このように、把手部５ａ，５ｂは、その先端５１ａ，５１ｂが自由端となっているため、当該把手部５ａ，５ｂが容易に変形しないように、比較的厚肉または硬質の紙材が使用されている。また、既述のように、把手基部４ａ，４ｂは、支持部３の両側に配置されており、それぞれに把手部５ａ，５ｂが設けられており、両把手基部４ａ，４ｂを折り曲げることにより、両把手部５ａ，５ｂが積層されて把手６の剛性が強化されるものである。
【００２１】
上記構成の把手６において、これを把持する際には、両把手部５ａ，５ｂを重ねた状態で把持することができ、一方、把持しない状態では、図示のように、両把手部５ａ，５ｂが僅かに両側方向へ開放することとなるのである。この開放状態における各把手部５ａ，５ｂの先端５１ａ，５１ｂは、いずれも紙コップ本体２の底部端縁２１と同じ高さに達するため、両把手部５ａ，５ｂの各先端５１ａ，５１ｂが、紙コップ本体２の外方において当該紙コップ１を支持することとなるのである。この支持により、紙コップ１の転倒を防止できるのである。
【００２２】
そこで、一般的な紙コップ１は、上部開口部から底部に向かって小径となっていることから、紙コップ本体２の外側壁面は僅かに勾配を有するものである。この種の紙コップ１について使用する支持部３を長方形状に構成した場合、図２に示すように、支持部３の側方端縁３１は、上記勾配に起因して僅かに傾斜して設けられることとなる。そのため、把手基部４を折り曲げる場合、当該把手部５は、側方端縁３１を軸として回転することとなるが、その下端５１の位置が微妙に変化することとなるのである。この場合、把手基部４を折り曲げて把手６（図１）を構成させた状態において、把手部５の先端５１が紙コップ本体２の底部端縁２１と同じ高さとなるように、当該把手部５の長さが調整されているのである。なお、このように、把手部５の下端５１が微妙に変化する場合であっても、把手部５の先端５１が紙コップ本体２の底部付近に配置されることとなるため、紙コップ１の転倒防止効果を有することができるものである。
【００２３】
また、上記のような一般的な紙コップ１について、図３に示すように、支持部３の形状を下方に向けて先細り形状とすることにより、把手部５ａ，５ｂの回転軌道を変更することができる。つまり、上記形状の支持部３は、その両側方端縁３１ａ，３１ｂを紙コップ本体２の外側壁面の母線よりも斜状に傾斜させることができるのである。そして、このような端縁３１ａ，３１ｂを基準に把手部５ａ，５ｂを回転させる場合には、当該把手部５ａ，５ｂの先端５１ａ，５１ｂの軌道は、紙コップ本体２の外側表面に位置する状態から相互に積層して把手６（図１）を構成するまでの途中において、最下点に到達するのである。この場合、把手部５ａ，５ｂが積層する状態において、その先端５１ａ，５１ｂが紙コップ本体２の底部端縁２１と同じ高さとなるように、当該把手部５ａ，５ｂの長さを調整しているのである。
【００２４】
上記のような構成とすれば、紙コップ１をテーブル等の表面に載置した状態において、両把手部５ａ，５ｂが両側方向に開放する場合、把手部５ａ，５ｂの先端５１ａ，５１ｂは、当該把手部５ａ，５ｂが積層している状態よりも下方へ向かって移動することとなる。従って、この把手部先端５１ａ，５１ｂがテーブル等の表面に当接して、上記開放が抑制されることとなるのである。このことから、把手部５ａ，５ｂを敢えて一体的に保持することなく、把手６（図１）としての形態を維持させることができるのである。
【００２５】
次に、本実施形態の使用態様を説明する。本実施形態は、上記のような構成であるので、図１において示したとおり、紙コップ本体２の外側表面に貼着した支持部３から把手基部４ａ，４ｂを折り曲げ、把手部５ａ，５ｂを積層させることにより、把手６を構成することができるのである。この状態において、図４（ａ）に示すように、把手部５は、紙コップ本体２の外側壁面から十分に離れて配置されることとなり、しかも、当該把手部５の先端５１が紙コップ本体２の底部端縁２１に達していることから、この把手部５と紙コップ本体２との空間部分７に指を３〜４本程度挿通させることが可能となるのである。従って、人差し指、中指および薬指の３本の指先、または、これに小指を含めた４本の指先を上記空間部分７に挿通し、これらの指先を曲げることにより、指と手掌との間で上記把手部５を把持または掴持することが可能となるのである。
【００２６】
また、把手部５ａ，５ｂが積層される状態においては、図４（ｂ）に示すように、把手部５ａ，５ｂに近接する把手基部４ａ，４ｂの一部が積層され、一方、把手部５ａ，５ｂから離れた個所、即ち、支持部３の両側端縁３１ａ，３１ｂ（図１）に連続している部分は、支持部３の幅寸法だけ離れている。そのため、把手基部４ａ，４ｂは、図示のように、積層した部分から支持部３に向かって分岐する状態となる。この分岐する部分では、当該把手基部４ａ，４ｂの上端縁が略三角形を形成し、当該部分の把手基部４ａ，４ｂと支持部３とにより三角筒状を構成することとなるのである。そして、この三角筒状体が、平面的でなく立体的に把手部５ａ，５ｂを支持部３に連結することとなるため、紙コップ１の使用により、把手部５ａ，５ｂを挟持または掴持して紙コップ本体２を確実に傾倒させることができるのである。
【００２７】
上記三角筒状体は、把手部５を既述のように指と手掌とで挟持または掴持する場合、親指によって安定した掴持を実現させる効果をも有するのである。即ち、前記の掴持は、指と手掌とで把手部５を挟むようにするのであるが、親指を把手部５の上部である把手基部４ａ，４ｂの一部を押さえることにより、安定性が向上するのであって、この親指による押さえるべき部分として、上記三角筒状体を使用することにより、両方の把手基部４ａ，４ｂを同時に押さえることができ、紙コップ２の状態を親指を通して感知することができるのである。
【００２８】
なお、上記のように把手部５ａ，５ｂが積層する場合、両者が密着した状態で積層する場合に限らず、僅かに隙間を有して積層される場合がある（図１参照）。上記のような状況は、握力の低下した高齢者や手に障害を有する者が使用する場合、両者を密着させることは容易でないために発生し得るものである。そして、このような状況においては、上記のような三角筒状体を構成することができないものの、把手基部４ａ，４ｂの上端縁全体が僅かに間隙を有することとなるので、上記掴持を安定させるために親指を使用する場合は、間隙を有する把手基部４ａ，４ｂの上端縁のいずれかの個所を押さえることによって、同様の効果を得ることができるものである。上記のような使用態様では、把手基部４ａ，４ｂおよび把手部５ａ，５ｂによって、立体的な把手が形成されるのであり、紙コップ１の使用による紙コップ本体２の傾倒も可能である。
【００２９】
また、本実施形態は、尿検査用の紙コップとしても使用できるのである。即ち、尿検査の際には、検査に供する尿を紙コップに入れなければならないが、一般的な検査用の紙コップでは、当該検査用コップを手で握るほかに支持方法がなく、手や指に障害を有する者または婦人においては、非常に不便なものであった。そこで、本実施形態によれば、把手６を挟持または掴持した状態で紙コップ１を支持することができるので、手等に障害を有する者であっても紙コップ１を十分に支持できることとなり、また、上記のように把手６を挟持または掴持した状態でコップ本体２を所望の向きに傾倒させることができるので、容易に尿を紙コップ１に注入できるのである。
【００３０】
次に、紙コップに使用できる把手の実施形態について説明する。本実施形態は、図５に示すように、支持部１０３の裏面には、その全面に貼着剤１３２が塗布されている。この貼着剤１３２が設けられている裏面には剥離フィルム１３３が設けられており、上記貼着剤１３２を保護するとともに、使用に際しては、この剥離フィルムを取り除くことにより、貼着剤１３２によって貼着できるようになっている。
【００３１】
一方、支持部１０３の両側端縁１３１ａ，１３１ｂには、連続する把手基部１０４ａ，１０４ｂが設けられるとともに、この把手基部１０４ａ，１０４ｂに連続する把手部１０５ａ，１０５ｂが設けられており、支持部１０３と把手基部１０４ａ，１０４ｂとの境界線Ｘ，Ｙを基準として、把手基部１０４ａ，１０４ｂを折曲することによって、把手部１０５ａ，１０５ｂが積層するように構成されているのである。
【００３２】
本実施形態を使用する場合は、予め把手基部１０４ａ，１０４ｂを境界線Ｘ，Ｙを基準に折曲し、略長方形状の支持部１０３を確定させたうえ、裏面の剥離フィルム１３３を取り除いて、貼着剤１３２により紙コップに貼着するのである。また、先に貼着剤１３２により紙コップに貼着した後、把手基部１０４ａ，１０４ｂを境界線Ｘ，Ｙを基準として折曲してもよい。
【００３３】
なお、支持部１０３を紙コップに貼着した状態は、図１において示したとおりである。そして、この場合、既に説明したとおり、支持部１０３を紙コップに貼着した状態において、把手部１０５ａ，１０５ｂの先端１５１ａ，１５１ｂが紙コップの底部端縁と同じ高さに調整することによって、紙コップを安定させることができるものである。このように、把手部１０５ａ，１０５ｂの長さを紙コップのサイズに応じて調整する必要がある場合、例えば、図６に示すように、把手１０６は、小さなサイズの紙コップ１０２Ｓに対応できるように設けておき、これよりも大きいサイズの紙コップ１０２Ｌに使用する場合は、同様の把手１０６を使用して、把手部１０５の先端１５１が、紙コップ１０２Ｌの底部端縁と同一平面Ａに位置するような状態で、当該紙コップ１０２Ｌに貼着することによって、多種の紙コップに対応することが可能となる。また、上記のような貼着時の調整によって対応するほか、把手を設けるべき紙コップの種類に応じた寸法の把手１０６を用意することも可能である。この場合、紙コップは現在のところ専ら２〜３種類であるため、これらの種類に合致する寸法を用意することによって十分対応し得るものである。
【００３４】
次に、紙コップホルダの実施形態について説明する。本実施形態は、図７に示すように、筒状の本体１１と、この本体１１の外側壁面１２から突出する２つの把手１４ａ，１４ｂとで構成されている。把手１４ａ，１４ｂは、本体１１の外側壁面１２に貼着されてなる基部１３に連続して設けられており、また、全体的が略逆Ｌ字形に成形され、その先端１５ａ，１５ｂは、本体１１の下端縁１６と同じ高さとなるように、その長さが調整されているのである。
【００３５】
また、本体１１の上端部分には、２個所に切欠部１７，１８が設けられており、本体１１の内部に紙コップを装着したとき、当該切欠部１７，１８が設けられている個所では紙コップの上端に直接口が触れられるように構成され、この切欠部１７，１８が飲み口部として機能するのである。また、本体１１の全体は、下方に向けて小径となる勾配が設けられており、支持すべき紙コップが有する勾配に合わせて、当該紙コップのほぼ全体が本体１１の内側に挿入できるように構成されているのである。即ち、図８に示すように、紙コップホルダ１０は、保持すべき紙コップ２０よりも上下方向に長く設けられており、紙コップ２０をホルダ１０の内部に挿入したとき、ホルダ１０の上端縁１９が、紙コップ２０の上端に設けられている突出縁２０ａに当接するように構成されているのである。
【００３６】
このように構成することにより、紙コップ２０をホルダ１０の内部に挿入するとき、把手１４は、紙コップ２０の上端縁付近から突出させた場合と同様の状態となるため、ホルダ１０を含む全体の重心を低くすることができ、飲料が注がれた状態の紙コップ２０およびホルダ１０を含む全体を安定させることができる。また、図示のとおり、紙コップ２０の突出縁２０ａをホルダ１０の上端縁１９に当接したとしても、紙コップの底部端縁２０ｂは、ホルダ１０の下端縁１６よりも上方に位置することとなるので、ホルダ１０の下端縁１６と把手１４の下端１５との位置関係に変動がないのである。従って、上記ホルダ１０を使用する場合、把手１４の先端１５は、常にホルダ１０の下端縁１６と同じ高さとなるので、テーブル等の表面にホルダ１０を載置するとき、把手１４の先端１５もテーブル等の表面に当接することとなり、ホルダ１０および紙コップ２０の全体的な安定性を向上させることとなるのである。
【００３７】
また、本実施形態では、ホルダ１０の本体１１の形状が、多角形の筒状に構成されていることから、本体１１の内部全体で紙コップ２０を支持することができるのである。即ち、上記多角形の内接円は、保持すべき紙コップ２０が挿入されるときに当接する外形部分よりも小さな径となるように構成されているのであり、図９に示すように、紙コップ２０を上記のように所定位置まで挿入することによって、多角形の各辺を外向きに押し広げるように、当該ホルダ１０の本体１１を変形させるのである。このように、多角形の各辺を変形させることによって、紙コップ２０の表面は、本体１１の内側壁面と広い範囲で接触することができ、かつ、上記のような変形の結果、多角形の各辺は復元力によって紙コップ２０の表面を押圧することとなる。そして、これらの相乗効果として、十分な保持力を得ることができるのである。なお、ホルダ１０の上端縁１９が、紙コップ２０の上端に存在する突出縁２０ａに当接することによっても、上記保持力を補助するものである。
【００３８】
次に、ホルダにかかる発明の第二の実施形態について説明する。本実施形態では、図１０に示すように、本体１１１は、筒状に設けられており、この筒状は勾配が形成されていない一方、この本体１１１の底部には、環状のストッパ部１３０が設けられている。このストッパ部１３０は、十分な肉厚を有する段ボール紙が使用されており、筒状本体１１１の底部を構成しているものである。この本体１１１の外側壁面１１２には外方に突出する把手１１４が設けられており、その先端１１５は、本体１１１の底部端縁１１６と同じ高さに調整されている。
【００３９】
上記のように構成されたホルダ１１０は、専ら勾配のない円筒状の飲料容器を保持するために使用するものであって、特に、缶入り飲料を、その飲料容器のまま保持することができるものである。即ち、飲料容器が均等な径の円筒状である場合、第一実施形態のように本体１１（図７）を下方に向けて先細り形状としたものであるとすると、当該飲用容器の底部のみが本体１１の下方において保持されることとなり、飲用容器の上端付近は本体１１によって保持されず、非常に不安定な状態となるものである。
【００４０】
そこで、本実施形態のように、本体１１１を均等な径の円筒状とすることにより、図１１に示すように、例えば、缶入り飲料のような容器１２０を保持する場合、本体１１１に挿入される容器１２０は、本体１１１の底部および上部において同様に保持されることとなる。しかし、上記の場合、本体１１１の内側壁面と容器１２０の外側表面との当接状態は、本体１１１の上部、中間部および下部において、いずれも同様となるため、容器１２０を本体１１１の所定位置に固定的に保持させることが困難となるものである。そこで、ホルダ１１０の底部にストッパ部１３０（図１０）を設けることにより、容器１２０の底部１２０ｂがストッパ部１３０に当接する状態で、容器１２０の位置を固定することができるのである。
【００４１】
また、本実施形態の本体１１１は、第一実施形態の本体１１と同様に、断面形状を多角形としていることから、飲料容器１２０を本体１１１に挿入するとき、容器１２０の外側壁面が外方に押し広げられるように変形し、容器１２０の外側表面を本体１１１の内部壁面が広い面積で当接し、かつ、上記変形の復元力によって保持されることとなるのである。
【００４２】
なお、本実施形態にあっても、把手１１４の構成、特に、全体形状を略逆Ｌ字形とすること、および把手先端１１５の位置関係については、第一の実施形態と同様である。
【００４３】
本発明の実施形態は上記のとおりであるが、本発明の趣旨を逸脱しない範囲において種々の態様をとり得ることができる。例えば、紙コップホルダ１０の本体１１は、多角形の筒状に構成したものを実施形態として説明したが、当該本体１１は、円筒状で構成することも可能である。この場合、本体１１の勾配は、保持すべき紙コップ２０の壁面に構成されている勾配に合致させることによって、紙コップ２０の外側壁面と本体１１の内側壁面とが、広い面積で接触することができるので、好適な保持力を得ることができるものである。
【００４４】
また、紙コップホルダの第二実施形態では、切欠部について説明を割愛したが、図１１に示すように、本体１１１の上端縁１１９の一部を切り欠くことにより、切欠部１１７，１１８を設けることができる。
【００４５】
さらに、各種の把手について、その先端を紙コップの底部端縁またはホルダの下端縁と同じ高さとなるように調整してなる構成としているが、これは、これら紙コップまたはホルダがいずれも上下方向の長さに制限があるためであって、特別に長尺な紙コップ等を使用する場合は、指が挿入できる程度の間隙を備えることを条件として、環状の把手とすること、即ち、コ字形の把手部を構成し、この両端を紙コップ等の表面に貼着することが可能である。この場合、コ字形の下端縁は、紙コップ等の底部端縁と同じ高さに調整することにより、本実施形態と同様の効果を得ることができるものである。
【００４６】
【発明の効果】
以上のように、把手付き紙コップにかかる本発明によれば、握力等が低下した高齢者や手等に障害を有する者が、容易に紙コップを使用することができる。また、把手が紙コップの外方において当該紙コップを支持することができるので、紙コップの転倒を防止することもできる。しかも、上記紙コップを検尿用コップとした場合、上記のような高齢者等のみならず女性の利用も容易となる。
【００４７】
また、紙コップに使用する把手にかかる本発明によれば、市販される紙コップを利用して、把手付き紙コップを構成することができるのである。このように構成された把手付き紙コップは、上記の把手付き紙コップと同様の効果を発揮することとなる。
【００４８】
さらに、飲用容器ホルダにかかる本発明によれば、既存の紙コップを把手のついた状態で利用することができる。また、紙コップに限らず、缶入り飲料のように、既に容器を備えた飲み物を飲用する場合にも使用できるのである。
【００４９】
上記各発明は、熱い飲み物を紙コップに注入して飲用する場合に限らず、冷たい飲み物または常温の飲み物においても利用することができ、その際、既述のとおり、手や指の不自由な状況下であっても、紙コップまたは飲用容器を利用することができるのである。
【図面の簡単な説明】
【図１】把手付き紙コップの実施形態を示す斜視図である。
【図２】把手付き紙コップの実施形態を示す説明図である。
【図３】把手付き紙コップの支持部を説明する図である。
【図４】把手付き紙コップの実施形態の使用態様を示す説明図である。
【図５】把手の実施形態を示す説明図である。
【図６】把手の実施形態の使用態様を示す説明図である。
【図７】飲用容器ホルダの実施形態を示す斜視図である。
【図８】飲用容器ホルダの実施形態の使用態様を示す説明図である。
【図９】飲用容器ホルダによる飲用容器の保持状態を示す説明図である。
【図１０】飲用容器ホルダの第二の実施形態を示す断面図である。
【図１１】飲用容器ホルダの第二の実施形態の使用態様を示す説明図である。
【図１２】従来の把手付き紙コップを示す説明図である。
【符号の説明】
１　紙コップ
２，１０２Ｓ，１０２Ｌ　紙コップ本体
３，１０３　支持部
４ａ，４ｂ，１０４ａ，１０４ｂ　把手基部
５ａ，５ｂ，１０５ａ，１０５ｂ　把手部
６　把手
７　空間部分
１０，１１０　容器ホルダ
１１，１１１　本体
１２，１１２　外側壁面
１３，１１３　基部
１４ａ，１４ｂ，１１４　把手
１５ａ，１５ｂ，１１５　把手本体
１６，１１６　下端縁
１７，１８，１１７，１１８　切欠部
１９，１１９　上端縁
２０，１２０　紙コップ
２０ａ　突出縁
２０ｂ，１２ｂ　底部端縁
２１　底部端縁
３１ａ，３１ｂ，１３１ａ，１３１ｂ　側方端縁
５１ａ，５１ｂ，１５１ａ，１５１ｂ　把手部先端
１３０　ストッパ部
１３２　貼着剤
１３３　剥離フィルム
【図１】
2004091012.tif 000003
【図２】
2004091012.tif 000004
【図３】
2004091012.tif 000005
【図４】
2004091012.tif 000006
【図５】
2004091012.tif 000007
【図６】
2004091012.tif 000008
【図７】
2004091012.tif 000009
【図８】
2004091012.tif 000010
【図９】
2004091012.tif 000011
【図１０】
2004091012.tif 000012
【図１１】
2004091012.tif 000013
【図１２】
2004091012.tif 000014